(57)【要約】【課題】  より優れたフィット感が得られるようなマウス及びマウス用カバーを提供すること。【解決手段】  マウス本体４の上面に沿った形状を成し、内部に流動性に富んだ緩衝材８を充填した袋体７と、袋体７をマウス本体に装着係止する係止部材６とを備えたことを特徴とする。この場合、緩衝材８が、上カバー９とマウス本体４との間に内部に充填され流動性を有するので、掌の凹凸に倣って緩衝材８とともに上カバー９が変形し、マウス１に接している掌部分全体が均一な反力を受けるので、より優れたフィット感が得られる。【選択図】  図１
2008065733.tif 000002
【特許請求の範囲】
【請求項１】
マウス本体と、
前記マウス本体の少なくとも上部表面に添設される表面カバーと、
前記表面カバーと前記マウス本体との間に充填され流動性を有する緩衝材と
を備えるマウス。
【請求項２】
前記緩衝材は、固体粒子で形成されている請求項１記載のマウス。
【請求項３】
前記緩衝材は、パウダービーズである請求項２記載のマウス。
【請求項４】
前記マウス本体は、前記マウス本体の上部に操作ボタンを有し、前記表面カバーは、前
記マウス本体の上部及び側部を略全体的に覆う請求項１から請求項３のいずれか一項記載
のマウス。
【請求項５】
マウス本体上面に略沿った形状を有し、内部に流動性を有する緩衝材を充填した袋体と
、
前記袋体を前記マウス本体に係止する係止手段と
を備えるマウス用カバー。
【請求項６】
前記緩衝材は、パウダービーズである請求項５記載のマウス用カバー。
【請求項７】
前記袋体は、内部が複数の室に分割され、当該複数の室の各空間に前記緩衝材が充填さ
れている請求項５及び請求項６のいずれか一項記載のマウス用カバー。
【請求項８】
前記係止手段は、前記マウス本体の表面に貼着する第１の面ファスナと、前記袋体の内
面の前記第１の面ファスナに対応する部位に配設した第２の面ファスナとを有する請求項
５から請求項７のいずれか一項記載のマウス用カバー。
【発明の詳細な説明】
【技術分野】
【０００１】
本発明は、コンピュータの入力に使用されるマウスのマウス及びそのカバーに関し、詳
しくは、マウスに当接する掌のフィット感を改善したマウス及びマウス用カバーに関する
ものである。
【背景技術】
【０００２】
マウスを長時間連続使用した場合でも、使用者の掌を過度に疲労させないように、掌を
あてがったときに掌の凹凸面に対して相補形状に変形するクッション用ポリウレタンフォ
ーム、弾性ゲル等の低反発性層をマウスの手動操作面に装着するマウス用カバーパッドが
提供されている（例えば、特許文献１，２）。
【０００３】
例えば、クッション用ポリウレタンフォームを用いたマウスカバーパッドでは、パッド
に作用する掌や指の沈み深さに関係なく、パッドから略均一な圧力を受けるため、マウス
に対する優れたフィット感が得られるとされている。
【特許文献１】特開２０００−２９６２４号公報
【特許文献２】特開２０００−１１２６５３号公報
【発明の開示】
【発明が解決しようとする課題】
【０００４】
ところで、マウスカバーパッドがポリウレタンフォーム、弾性ゲル等の低反発性層で構
成されている場合には、低反発とはいえ、押し込まれた部分、特に深く窪んだ部分のみが
反発されるため、厳密には、マウスに接している掌部分全体が均一な反力を受けるわけで
はない。
【０００５】
そこで、本発明は、より優れたフィット感が得られるマウス及びマウス用カバーを提供
することを目的とする。
【課題を解決するための手段】
【０００６】
上記課題を解決するため、本発明に係るマウスは、マウス本体と、マウス本体の少なく
とも上部表面に添設される表面カバーと、表面カバーとマウス本体との間に充填され流動
性を有する緩衝材とを備える。ここで、マウス本体とは、例えば、機械的に又は光学的に
位置を検出する位置検出手段、無線又は有線によってコンピュータに位置情報等を出力さ
せる情報出力手段、ディスプレイ上に表示されたカーソルの位置によってコンピュータに
指令を与える操作ボタン等をケースに備えたものをいう。
【０００７】
上記マウスでは、緩衝材が、表面カバーとマウス本体との間に充填され流動性を有する
ので、掌の凹凸に倣って緩衝材とともに表面カバーが変形し、マウスに接している掌部分
全体が均一な反力を受けるので、より優れたフィット感が得られる。
【０００８】
本発明の具体的な態様では、上記マウスにおいて、緩衝材が固体粒子で形成されている
。この場合、マウスを握った感触が適度の硬さ有しマウスの肌触りがサラッと乾燥したも
のとなる。
【０００９】
本発明の別の態様では、緩衝材がパウダービーズである。パウダービーズを用いた場合
、手の負荷がより軽減されリラックス効果が高まる。ここで、パウダービーズとは、球体
で、直径が０．５〜１．５ｍｍ程度の微細の合成樹脂ビーズをいう。この場合、表面カバ
ーの変形を少ない抵抗で実現することができる。
【００１０】
本発明のさらに別の態様では、マウス本体が、マウス本体の上部に操作ボタンを有し、
カバーが、マウス本体の上部及び側部を略全体的に覆う。この場合、操作ボタンを含めて
フィット感を高めることができる。
【００１１】
また、本発明に係るマウス用カバーは、マウス本体上面に略沿った形状を有し、内部に
流動性を有する緩衝材を充填した袋体と、袋体をマウス本体に係止する係止手段とを備え
る。
【００１２】
上記マウス用カバーでは、袋体が、内部に流動性を有する緩衝材を充填しているので、
掌の凹凸に倣って袋体が変形し、マウスに接している掌部分全体が均一な反力を受けるの
で、より優れたフィット感が得られる。
【００１３】
本発明の具体的な態様では、上記マウス用カバーにおいて、緩衝材がパウダービーズで
ある。この場合、袋体の変形を少ない抵抗で実現することができる。
【００１４】
本発明の別の態様では、袋体の内部が複数の室に分割され、当該複数の室の各空間に緩
衝材が充填されている。この場合、マウス用カバーの過剰な型くずれを抑えることができ
る。
【００１５】
本発明のさらに別の態様では、係止手段が、マウス本体の表面に貼着する第１の側面フ
ァスナと、袋体の内面の第１の面ファスナに対応する部位に配設した第２の面ファスナと
を有する。この場合、マウス用カバーがマウス本体に対して簡易に着脱可能になり、様々
なマウス用カバーを交換しつつ用いることができる。
【発明を実施するための最良の形態】
【００１６】
以下、本発明の一実施形態に係るマウス及びマウス用カバーを図面を参照しつつ具体的
に説明する。
【００１７】
図１（ａ）及び（ｂ）は、本実施形態のマウス本体とマウス用カバーとを示した斜視図
であり、図２は、図１のマウス用カバーをマウス本体に装着した状態を示した斜視図であ
る。
【００１８】
図示のマウス１は、ケース２の内部に電子回路等を収容し上面に操作ボタン３を備えた
マウス本体４と、当該マウス本体４の上部に被せるマウス用カバー５と、当該マウス用カ
バー５をマウス本体４に装着係止する係止部材６とを備える。
【００１９】
ここで、マウス本体４の上部４ａには、例えば２つの操作ボタン３が設けられており、
側部４ｂのうち前部４ｃの中央には、赤外通信窓４ｄが設けられている。ユーザは、マウ
ス用カバー５越しに各操作ボタン３を押下することでマウス本体４を動作させることがで
き、その操作の結果は、赤外通信窓４ｄを介して射出される赤外信号として、不図示のコ
ンピュータ本体に出力される。
【００２０】
図３は、図１（ｂ）に示すマウス本体４のＡ−Ａ線断面図である。マウス本体４は、硬
質樹脂製のケース２で覆われており、内部に、操作ボタン３の動作を検出するスイッチ部
４１と、マウス本体４の２次元的な移動を光学的に検出する位置検出部４２と、マウスの
操作結果を光信号として送信する発光素子部４３と、これの部分の動作を制御する制御回
路４５と、制御回路４５等に電力を供給する電源部４６とを組み込んだものとなっている
。ここで、スイッチ部４１は、操作ボタン３を押下する動作を検出して、その検出信号を
制御回路４５に出力する。また、位置検出部４２は、発光素子及び光検出素子を備える位
置検出手段であり、例えばマウスパッド上のパターンを光学的に読み取ることによってマ
ウス本体４の移動量及び移動方向を検出し、その検出信号を制御回路４５に出力する。ま
た、発光素子部４３は、情報出力手段であり、スイッチ部４１や位置検出部４２で検出さ
れた信号を適当な信号形式に変換した情報を、さらに光信号に変換して赤外通信窓４ｄ越
しに射出する。
【００２１】
図１に戻って、マウス用カバー５は、マウス本体４の表面側すなわち上部４ａ及び側部
４ｂを覆う。したがって、マウス本体４に設けた両スイッチ部４１は、マウス用カバー５
に覆われるが、マウス本体４の裏面側は、外部に露出した状態となる。なお、マウス用カ
バー５の前方部分には、切欠き５ａが形成されており、マウス本体４の側部４ｂのうち前
部４ｃの中央に設けた赤外通信窓４ｄを外部に露出させる。
【００２２】
マウス用カバー５は、マウス本体４の表面側輪郭に倣って形成した袋体７に、流動性に
富んだ緩衝材としてのパウダービーズ８を充填したものである。パウダービーズ８は、例
えば発泡ポリスチレン等の合成樹脂で形成することができる。このような合成樹脂は、直
径が例えば０．５〜１．５ｍｍ程度の球形に加工され、これらの粒体の集合体は、パウダ
ービーズ８として袋体７中に充填される。
【００２３】
図４は、図２に示すマウス１のＢ−Ｂ線断面図であり、図５は、マウス用カバー５のＣ
−Ｃ線に関する部分拡大断面図である。図示のように、このマウス用カバー５において、
袋体７は、複数の室である複数のセル７ａを内蔵して構成されており、それらのセル７ａ
は、目の細かい布，合成樹脂シート等によって形成されている。各セル７ａは、内部空間
７ｄ中にパウダービーズ８を充填することによって、厚みが一様になるようにしている。
各セル７ａは、隣接する位置ＡＰで適当な手段によって接続又は連結されており、複数の
セル７ａの間に隙間が形成されないようにしている。この場合、袋体７を構成する各セル
７ａに十分な量のパウダービーズ８を充填することによって、ユーザがマウス本体４をパ
ウダービーズ８を介することなく直接的握ることを回避できる。
【００２４】
なお、袋体７を構成する複数のセル７ａは、袋体７の全体形状と略同一形状を有する内
皮と外皮とを準備し、これら内皮及び外皮を格子状に縫合し、その縫い目でない部分にパ
ウダービーズ８を充填することによっても形成できる。さらに、袋体７を仕切りのない単
一のセルで形成することもできる。
【００２５】
このマウス用カバー５では、袋体７を構成する複数のセル７ａの境界線を隠すように、
表面カバーである上カバー９が、袋体７の一部として、接着、縫合等によって袋体７の表
側に添設されている。上カバー９も、目の細かい布、合成樹脂シート等によって形成され
ている。これにより、個々のセル７ａの存在が分かりにくくなり、ユーザがマウス１を握
った際に滑らかな手触りが確保される。
【００２６】
図１に戻って、係止部材６は、マウス用カバー５の側部内面及び前部内面に配設される
第１の面ファスナ１０Ａと、マウス本体の側部表面及び前部表面に配設される第２の面フ
ァスナ１０Ｂとによって構成されている。
【００２７】
図６は、係止手段である係止部材６の一部を示した断面斜視図である。各面ファスナ１
０Ａ，１０Ｂは、例えば、基材１０ａにループ状，鉤状を成す係合部材１０ｂを植設した
もので、基材１０ａの裏面に粘着層１０ｃが形成され、その粘着層１０ｃの裏面に剥離紙
１０ｄが貼着されている。この例では、一組の面ファスナ１０Ａ，１０Ｂが、マウス本体
４及びマウス用カバー５とは別に用意され、マウス用カバー５をマウス本体４に装着する
際に、剥離紙１０ｄを剥し、それによって露出される粘着層１０ｃによってマウス本体４
及びマウス用カバー５に貼着させて添設される。ただし、マウス用カバー５に添設される
第１の面ファスナ１０Ａに関しては、例えば基材１０ａをマウス用カバー５に縫合させて
添設してもよい。この場合には、基材１０ａの裏面に形成される粘着層１０ｃ及び剥離紙
１０ｄは不要である。
【００２８】
マウス用カバー５をマウス本体４に取り付ける際には、マウス用カバー５をマウス本体
４に被せ、マウス用カバー５に添設させた第１の面ファスナ１０Ａの係合部材１０ｂをマ
ウス本体４に添設させた第２の面ファスナ１０Ｂの係合部材１０ｂに係合させることによ
って、マウス用カバー５をマウス本体４に固定する。
【００２９】
なお、マウス用カバー５をマウス本体４に取り付けるための係止部材６は、上述の面フ
ァスナ１０Ａ，１０Ｂに限らず、様々な機構を利用したものとすることができる。例えば
、マウス本体４の適宜箇所に係止するフック、マウス本体４をマウス用カバー５で包んだ
状態で下部開口縁を窄める紐、マウス本体４とマウス用カバー５とを互いに接着する粘着
剤、粘着剤を塗布した粘着テープ等が挙げられる。
【００３０】
上記実施形態では、袋体７にパウダービーズ８を充填してマウス用カバー５を形成し、
そのマウス用カバー５を係止部材６によってマウス本体４に着脱可能に固定しているが、
図７の変形例に示すように、マウス本体４に表面カバーとしてのシート１１を被せ、その
シート１１とマウス本体４のケース２表面との間隙にパウダービーズ８等の流動性に富ん
だ部材を充填してもよい。
【００３１】
以上、実施形態に即して本発明を説明したが、本発明は、上記実施形態に限定されるも
のではない。例えば、上記実施形態では、マウス用カバー５の袋体７に充填する流動性の
緩衝材として、パウダービーズ８を用いているが、パウダービーズ８以外の固体粒子を充
填することができる。ただし、袋体７に布状のものを用いる場合、固体粒子が布目の隙間
から漏れ出すことを防止するために、固体粒子のサイズを布目よりも十分大きなサイズと
する。
【００３２】
また、袋体７や上カバー９は、上述のように布、合成樹脂シート等によって形成される
が、その厚さや硬さは、掌の形状をパウダービーズ８に十分に伝達できる程度に薄くする
ことが望ましい。袋体７や上カバー９の材料としては、例えばポリエチレン、フッソ樹脂
、ＡＢＳ樹脂を用いることができる。なお、上カバー９の表面には、ユーザの嗜好に合わ
せて様々な模様を印刷することができる。
【００３３】
また、袋体７の大きさは、マウス本体４の表面全体を覆うものである必要はない。例え
ば、マウス本体４の上部４ａに対応した大きさ、マウス１の操作ボタン３を除く部分を覆
う大きさ等、少なくとも掌が主に当接する部分を含む大きさならばよい。
【００３４】
また、マウス本体４に内蔵されるスイッチ部４１、位置検出部４２、発光素子部４３の
構成は単なる例示であり、様々な変形が可能である。例えば、位置検出部４２は、光学式
に限らず、ボール等の回転を検出する機械式のものとすることができる。また、発光素子
部４３に代えて、アンテナを内蔵する無線型の通信回路を設けることができ、この場合、
マウス用カバー５に切欠き５ａを設ける必要がなくなる。また、発光素子部４３に代えて
、ワイヤ型の通信部を設けることができ、コンピュータ本体のとの間を有線のケーブルで
接続することもできる。
【００３５】
さらに、以上で説明したマウス本体４において、これに設けられる操作ボタン３の形状
や配置等は単なる例示であり、追加のローラや各種タイプのスイッチを設け得ることは言
うまでもない。
【図面の簡単な説明】
【００３６】
【図１】（ａ）、（ｂ）は、マウス本体とマウス用カバーとを示した斜視図である。
【図２】図１のマウス用カバーをマウス本体に装着した状態を示した斜視図である。
【図３】図１におけるＡ−Ａ線断面図である。
【図４】図２におけるＢ−Ｂ線断面図である。
【図５】図４におけるＣ−Ｃ線の部分拡大断面図である。
【図６】係止部材の一部を示した断面斜視図である。
【図７】カバーがマウス本体に一体的に配設された状態の部分拡大断面図である。
【符号の説明】
【００３７】
１…マウス、  ２…ケース、  ３…操作ボタン、  ４…マウス本体、  ４ａ…上部、
４ｂ…側部、  ４ｃ…前部、  ４ｄ…赤外通信窓、  ５…マウス用カバー、  ６…係止
部材、  ７…袋体、  ７ａ…セル、  ７ｄ…内部空間、  ８…パウダービーズ、  ９…上
カバー、  １０Ａ，１０Ｂ…面ファスナ、  １１…シート、  ４１…スイッチ部、  ４２
…位置検出部、  ４３…発光素子部
【図１】
2008065733.tif 000003
【図２】
2008065733.tif 000004
【図３】
2008065733.tif 000005
【図４】
2008065733.tif 000006
【図５】
2008065733.tif 000007
【図６】
2008065733.tif 000008
【図７】
2008065733.tif 000009